【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
基本階層マクロブロックと称する低解像度画像のマクロブロックに関連するモーションデータから、上位階層マクロブロックと称する高解像度画像の、基本ブロックに分割される、少なくとも１つのマクロブロック用のモーションデータを取得する方法であって、フレームモードとフィールドモードとのうちの１つのマクロブロック符号化モードが各マクロブロックに関連しており、画像符号化モードが前記高解像度画像及び前記低解像度画像に関連しており、
前記方法は、
‐前記少なくとも１つのマクロブロックの各基本ブロックについて、前記上位階層マクロブロックの符号化モードに応じてかつ前記高解像度画像の画像符号化モード及び前記低解像度画像の画像符号化モードに応じて前記高解像度画像内の前記基本ブロックの位置から、仮想基本階層位置（ｖｂｌ＿ｐｏｓ）と称する前記低解像度画像内の中間位置を算出するステップと、
‐各基本ブロックについて、前記仮想基本階層位置にあるピクセルを含んでいる、ｂａｓｅ＿ＭＢと称する基本階層マクロブロックを識別するステップと、
‐各基本ブロックについて、前記ｂａｓｅ＿ＭＢの符号化モード及び前記上位階層マクロブロックの符号化モードに応じて前記仮想基本階層位置から、真の基本階層位置と称する前記低解像度画像内の最終位置を算出するステップと、
‐前記少なくとも１つのマクロブロックの各基本ブロックについて、前記真の基本階層位置にあるピクセルを含んでいる、ｒｅａｌ＿ｂａｓｅ＿ＭＢと称する基本階層マクロブロックを特定するステップと、
‐各基本ブロックについての前記識別された基本階層マクロブロックｒｅａｌ＿ｂａｓｅ＿ＭＢのモーションデータから、前記上位階層マクロブロック用のモーションデータを取得するステップと、
を含むことを特徴とする方法。
【請求項２】
基本階層マクロブロックは分割されて、モーションデータは分割部分の各々に関連しており、前記方法はさらに、各基本ブロックについて、前記真の基本階層位置にあるピクセルを含んでいる、ｒｅａｌ＿ｂａｓｅ＿ＭＢと称する基本階層マクロブロックを識別するステップの後に、各基本ブロックについて、前記真の基本階層位置にあるピクセルを含んでいる前記ｒｅａｌ＿ｂａｓｅ＿ＭＢの分割部分（ｍｂＰａｒｔｌｄｘＢａｓｅ）を識別するステップを更に含むことを特徴とする請求項１に記載の方法。
【請求項３】
前記上位階層マクロブロック用のモーションデータを取得するステップは、
−前記識別された基本階層マクロブロックｒｅａｌ＿ｂａｓｅ＿ＭＢに応じてかつ、各基本ブロックについての前記基本階層マクロブロックｒｅａｌ＿ｂａｓｅ＿ＭＢの前記識別された分割部分に応じて、前記上位階層マクロブロックを分割するステップと、
‐各基本ブロックについての前記識別された基本階層マクロブロックｒｅａｌ＿ｂａｓｅ＿ＭＢのモーションデータから前記上位階層マクロブロックの各分割部分用の動きベクトルを取得するステップと、
を含むことを特徴とする請求項２に記載の方法。
【請求項４】
前記上位階層マクロブロックは１６×１６ピクセルのブロックであり、各基本ブロックは４×４ピクセルのブロックであることを特徴とする請求項１乃至３のうちのいずれかに記載の方法。
【請求項５】
前記方法は、映像信号を符号化するプロセスの一部であることを特徴とする請求項１乃至４のうちのいずれかに記載の方法。
【請求項６】
前記方法は、映像信号を復号するプロセスの一部であることを特徴とする請求項１乃至４のうちのいずれかに記載の方法。
【請求項７】
一連の高解像度画像及び一連の低解像度画像を符号化する装置であって、各画像は重なっていない、基本ブロックに分割される、複数のマクロブロックに分割され、フレームモードとフィールドモードとのうちの１つのマクロブロック符号化モードが各マクロブロックに関連しており、画像符号化モードが前記高解像度画像及び前記低解像度画像に関連しており、前記装置は、
‐前記低解像度画像を符号化する第１の符号化手段と、
‐低解像度マクロブロックと称する低解像度画像のマクロブロックのモーションデータから、高解像度マクロブロックと称する高解像度画像の少なくとも１つのマクロブロック用のモーションデータを取得する継承手段と、
‐前記得られたモーションデータを用いて、前記高解像度画像を符号化する第２の符号化手段と、
を含み、
前記第１の符号化手段は、前記低解像度画像のマクロブロックについてのモーションデータ及び基本階層データストリームを生成し、前記第２の符号化手段は、拡張階層データストリームを生成し、
前記継承手段は、
‐前記少なくとも１つのマクロブロックの各基本ブロックについて、前記上位階層マクロブロックの符号化モードに応じてかつ前記高解像度画像の画像符号化モード及び前記低解像度画像の画像符号化モードに応じて前記高解像度画像内の前記基本ブロックの位置から、仮想基本階層位置（ｖｂｌ＿ｐｏｓ）と称する前記低解像度画像内の中間位置を算出する手段と、
‐各基本ブロックについて、前記仮想基本階層位置にあるピクセルを含んでいる、ｂａｓｅ＿ＭＢと称する基本階層マクロブロックを識別する手段と、
‐各基本ブロックについて、前記ｂａｓｅ＿ＭＢの符号化モード及び前記上位階層マクロブロックの符号化モードに応じて前記仮想基本階層位置から、真の基本階層位置と称する前記低解像度画像内の最終位置を算出する手段と、
‐前記少なくとも１つのマクロブロックの各基本ブロックについて、前記真の基本階層位置にあるピクセルを含んでいる、ｒｅａｌ＿ｂａｓｅ＿ＭＢと称する基本階層マクロブロックを識別する手段と、
‐各基本ブロックについての前記識別された基本階層マクロブロックｒｅａｌ＿ｂａｓｅ＿ＭＢのモーションデータから、前記上位階層マクロブロック用のモーションデータを取得する手段と、
を含むことを特徴とする方法。
【請求項８】
前記第１の符号化手段は、ＭＰＥＧ−４ ＡＶＣ映像符号化器であることを特徴とする請求項６に記載の方法。
【請求項９】
前記装置は、基本階層データストリーム及び拡張階層データストリームを単一のデータストリームに結合する手段を更に含むことを特徴とする請求項６または７に記載の方法。
【請求項１０】
少なくとも一連の高解像度画像を復号する装置であって、前記符号化された画像はデータストリームの形式で生成されており、各画像は重なっていない、基本ブロックに分割される、複数のマクロブロックに分割されており、フレームモードとフィールドモードとのうちの１つのマクロブロック符号化モードが各マクロブロックに関連しており、画像符号化モードが前記高解像度画像及び前記低解像度画像に関連しており、前記装置は、
‐前記データストリームの少なくとも第１の部分を復号して、低解像度画像及び前記低解像度画像のマクロブロックについてのモーションデータを生成する第１の復号化手段と、
‐低解像度画像のマクロブロックのモーションデータから、高解像度画像の少なくとも１つのマクロブロック用のモーションデータを取得する継承手段と、
‐前記得られたモーションデータを用いて、前記データストリームの少なくとも第２の部分を復号して、高解像度画像を生成する第２の復号手段と、
を含み、
前記継承手段は、
‐前記少なくとも１つのマクロブロックの各基本ブロックについて、前記上位階層マクロブロックの符号化モードに応じてかつ前記高解像度画像の画像符号化モード及び前記低解像度画像の画像符号化モードに応じて前記高解像度画像内の前記基本ブロックの位置から、仮想基本階層位置（ｖｂｌ＿ｐｏｓ）と称する前記低解像度画像内の中間位置を算出する手段と、
‐各基本ブロックについて、前記仮想基本階層位置にあるピクセルを含んでいる、ｂａｓｅ＿ＭＢと称する基本階層マクロブロックを識別する手段と、
‐各基本ブロックについて、前記ｂａｓｅ＿ＭＢの符号化モード及び前記上位階層マクロブロックの符号化モードに応じて前記仮想基本階層位置から、真の基本階層位置と称する前記低解像度画像内の最終位置を算出する手段と、
‐前記少なくとも１つのマクロブロックの各基本ブロックについて、前記真の基本階層位置にあるピクセルを含んでいる、ｒｅａｌ＿ｂａｓｅ＿ＭＢと称する基本階層マクロブロックを識別する手段と、
‐各基本ブロックについての前記識別された基本階層マクロブロックｒｅａｌ＿ｂａｓｅ＿ＭＢのモーションデータから、前記上位階層マクロブロック用のモーションデータを取得する手段と、
を含むことを特徴とする装置。
【請求項１１】
前記第１の復号化手段は、ＭＰＥＧ−４ ＡＶＣ映像復号器であることを特徴とする請求項１０に記載の装置。